【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
データの中継機能を有する路側通信装置であって、
移動体が生成元の移動体データを受信する通信部と、
所定の判定条件に基づいて、前記通信部が受信した前記移動体データのデータ量の間引き処理を行うか否かを判定する判定部と、
前記判定部の判定結果が肯定的である場合は前記間引き処理を伴う前記移動体データの中継を行い、前記判定部の判定結果が否定的である場合は前記間引き処理を伴わずに前記移動体データの中継を行う中継部と、を備える路側通信装置。
【請求項２】
前記所定の判定条件が、前記移動体データを中継先へ送信する際に用いられる通信回線の通信状況に基づく条件を含む請求項１に記載の路側通信装置。
【請求項３】
前記所定の判定条件が、自装置の通信処理負荷に基づく条件を含む請求項１又は請求項２に記載の路側通信装置。
【請求項４】
前記所定の判定条件が、特定の時間帯に基づく条件を含む請求項１〜請求項３のいずれか１項に記載の路側通信装置。
【請求項５】
前記所定の判定条件が、道路の渋滞状況に基づく条件を含む請求項１〜請求項４のいずれか１項に記載の路側通信装置。
【請求項６】
前記所定の判定条件が、特定の移動体に基づく条件を含む請求項１〜請求項５のいずれか１項に記載の路側通信装置。
【請求項７】
前記所定の判定条件が、道路で発生する特定の事象に基づく条件を含む請求項１〜請求項６のいずれか１項に記載の路側通信装置。
【請求項８】
前記所定の判定条件が、前記移動体の測位精度、位置及び状態のうちの少なくとも１つに基づく条件を含む請求項１〜請求項７のいずれか１項に記載の路側通信装置。
【請求項９】
前記通信部は、前記所定の判定条件を含む制御指令を外部装置から受信可能であり、
前記判定部は、受信した前記制御指令に基づいて前記間引き処理を行うか否かを判定する請求項１〜請求項８のいずれか１項に記載の路側通信装置。
【請求項１０】
前記中継部は、処理内容が互いに異なる複数の前記間引き処理を行うことが可能であり、
前記判定部は、複数の前記間引き処理ごとに定められた複数の前記所定の判定条件に基づいて、前記各間引き処理を行うか否かを判定する請求項１〜請求項９のいずれか１項に記載の路側通信装置。
【請求項１１】
複数の前記間引き処理は、間引きレベルが互いに異なる処理内容であり、かつ間引きレベルが段階的に変化するに従って間引き量が段階的に増加する処理内容となっている請求項１０に記載の路側通信装置。
【請求項１２】
前記通信部が受信する前記移動体データは、複数のデータ項目を含んでおり、
複数の前記間引き処理は、前記移動体データから所定のデータ量のデータ項目を削除する処理を含み、
複数の前記間引き処理において削除対象となる前記データ項目のデータ量は、前記各間引き処理の間引きレベルが段階的に変化するに従って段階的に増加するように設定されている請求項１１に記載の路側通信装置。
【請求項１３】
前記中継部は、前記移動体データを所定の時間間隔で中継先へ送信するものであり、
複数の前記間引き処理は、前記時間間隔を長くすることで、前記通信部が受信した複数の前記移動体データの少なくとも一部を破棄する処理を含み、
複数の前記間引き処理の前記時間間隔は、前記各間引き処理の間引きレベルが段階的に変化するに従って段階的に長くなるように設定されている請求項１１又は請求項１２に記載の路側通信装置。
【請求項１４】
前記通信部が受信する前記移動体データは、その生成元である前記移動体の測位精度を示す情報を含んでおり、
複数の前記間引き処理は、前記測位精度の高さを中継先への送信条件とすることで、前記通信部が受信した複数の前記移動体データの少なくとも一部を破棄する処理を含み、
複数の前記間引き処理において前記送信条件となる前記測位精度の高さは、前記各間引き処理の間引きレベルが段階的に変化するに従って段階的に高くなるように設定されている請求項１１〜請求項１３のいずれか１項に記載の路側通信装置。
【請求項１５】
前記移動体データは、その生成元である前記移動体の位置を示す情報を含んでおり、
複数の前記間引き処理は、前記移動体の位置が所定領域に含まれる場合に当該移動体から取得した前記移動体データを破棄する処理を含み、
複数の前記間引き処理の前記所定領域の大きさは、前記各間引き処理の間引きレベルが段階的に変化するに従って段階的に大きくなるように設定されている請求項１１〜請求項１４のいずれか１項に記載の路側通信装置。
【請求項１６】
前記移動体データは、その生成元である前記移動体のイベントを示す情報を含んでおり、
複数の前記間引き処理は、前記移動体の所定数のイベント区間において当該移動体から取得した前記移動体データを破棄する処理を含み、
複数の前記間引き処理の前記イベント区間の数は、前記各間引き処理の間引きレベルが段階的に変化するに従って段階的に増加するように設定されている請求項１１〜請求項１５のいずれか１項に記載の路側通信装置。
【請求項１７】
前記移動体データは、その生成元である前記移動体の移動経路を特定可能な情報を含んでおり、
複数の前記間引き処理は、前記移動体が所定数の移動経路を移動している場合に当該移動体から取得した前記移動体データを破棄する処理を含み、
複数の前記間引き処理の前記移動経路の数は、前記各間引き処理の間引きレベルが段階的に変化するに従って段階的に増加するように設定されている請求項１１〜請求項１６のいずれか１項に記載の路側通信装置。
【請求項１８】
データの中継機能を有する路側通信装置のデータ中継方法であって、
前記路側通信装置の通信部が、移動体が生成元の移動体データを受信する第１ステップと、
前記路側通信装置の判定部が、所定の判定条件に基づいて、前記通信部が受信した前記移動体データのデータ量の間引き処理を行うか否かを判定する第２ステップと、
前記路側通信装置の中継部が、前記判定部の判定結果が肯定的である場合は前記間引き処理を伴う前記移動体データの中継を行い、前記判定部の判定結果が否定的である場合は前記間引き処理を伴わずに前記移動体データの中継を行う第３ステップと、を含むデータ中継方法。
【請求項１９】
前記判定部は、複数種類の判定条件に基づいて、前記通信部が受信した前記移動体データのデータ量の間引き処理を行うか否かを判定するものであり、
複数の前記間引き処理は、間引きレベルが互いに異なる処理内容であり、
複数種類の前記判定条件それぞれは、前記間引きレベルごとに異なる複数の条件が設定されており、
前記判定部は、複数種類の前記判定条件それぞれにおいて、複数の前記条件に基づいて、前記各間引き処理を行うか否かを判定し、
前記中継部は、前記判定部の判定結果が肯定的となった前記判定条件が２種類以上ある場合、当該２種類以上の判定条件それぞれにおいて肯定的となった前記条件に対応する間引きレベルに基づいて１つの間引きレベルを設定し、その設定した間引きレベルに対応する間引き処理を行う、請求項１０に記載の路側通信装置。
【請求項２０】
データの中継機能を有する路側通信装置が行う処理をコンピュータに実行させるためのコンピュータプログラムであって、
コンピュータを、
移動体が生成元の移動体データを受信する通信部と、
所定の判定条件に基づいて、前記通信部が受信した前記移動体データのデータ量の間引き処理を行うか否かを判定する判定部と、
前記判定部の判定結果が肯定的である場合は前記間引き処理を伴う前記移動体データの中継を行い、前記判定部の判定結果が否定的である場合は前記間引き処理を伴わずに前記移動体データの中継を行う中継部として機能させるためのコンピュータプログラム。